(57)【要約】【課題】固定具が緩みにくいとともに、固定具の締め付ける力を強くすることができる接続部材及び医療用具を提供すること。【解決手段】オスコネクタ（２）と固定具（１０）とメスコネクタ（１５）から構成され、オスコネクタ（２）は、前方部にテーパー状突起部（３）、中間部に係止部（４）、後方部にチューブ接続部（７）を形成し、前記係止部（４）とチューブ接続部（７）の間に左螺子（５）を形成し、前記メスコネクタ（１５）は、後方部に前記オスコネクタ（２）のテーパー状突起部（３）が挿入可能なテーパー状管状体（１７）、前方部にチューブ接続部（１６）、後方部の外周に右螺子（１８）を形成し、前記固定具（１０）は、前方内壁面に右螺子（１１）、後方内壁面に左螺子（１３）を形成した接続部材（１）。【選択図】図１
2006141789.tif 000002
【特許請求の範囲】
【請求項１】
オスコネクタ（２）と固定具（１０）とメスコネクタ（１５）から構成され、
オスコネクタ（２）は、前方部にテーパー状突起部（３）、中間部に係止部（４）、後方部にチューブ接続部（７）を形成し、
前記係止部（４）とチューブ接続部（７）の間に左螺子（５）を形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に右螺子（１８）を形成し、
前記固定具（１０）は、前方内壁面に右螺子（１１）、後方内壁面に左螺子（１３）を形成した、ことを特徴とする接続部材（１）。
【請求項２】
前記固定具（１０）は、前記オスコネクタ（２）ないしオスコネクタ（２）後方部に接続されたチューブ（Ｔ）の途中に遊嵌され、
オスコネクタ（２）のテーパー状突起部（３）を、メスコネクタ（１５）のテーパー状管状体（１７）に挿入し、
固定具（１０）を左回転させて、固定具（１０）の左螺子（１３）がオスコネクタ（２）の左螺子（５）に沿って、左回転することにより、固定具（１０）が前進し、
固定具（１０）の右螺子（１１）がメスコネクタ（１５）の右螺子（１８）に引っかかった後、固定具（１０）を右回転させて、固定具（１０）の右螺子（１１）とメスコネクタ（１５）の右螺子（１８）同士の相互の螺子作用並びに固定具（１０）の左螺子（１３）とオスコネクタ（２）の左螺子（５）同士の相互の螺子作用により、固定具（１０）をメスコネクタ（１５）方向に前進させ、オスコネクタ（２）とメスコネクタ（１５）の接合部を外周から締めつけて固定することができるように形成した、ことを特徴とする接続部材（１）。
【請求項３】
請求項１ないし請求項２に記載の接続部材（１）を含むことを特徴とする医療用具。
【発明の詳細な説明】
【技術分野】
【０００１】
本発明は、固定具（例えばルアーロック）付接続部材（例えばオスコネクタとメスコネクタ）の改良に関する。接続部材の接合部を固定具で締め付けた後も、固定具の締め付けが緩んだり外れることのない接続部材に関する。本願の接続部材は、血液の体外循環回路、カテーテル類、輸液・輸血セット等の医療用具に使用される。
【背景技術】
【０００２】
図７は、現在使用されている接続部材５１とその使用状態図で、オスコネクタ５２とメスコネクタ６５を接合し、メスコネクタ６５の後方部に形成した係止部６８を固定具６０の内壁面に形成した螺合部６１に係止して、固定具６０を回転させて、内壁面に形成した螺合部６１により、接合部の外周から締め付けて固定するようにしている。
このように固定部材６０を、回転させて、その螺合部６１により、接合部の外周を締め付けているので、（Ａ）締め付けが緩すぎると、衝撃や振動を受けた場合、逆方向に回転して、簡単にはずれてしまうことがあった。（Ｂ）逆に締め付ける力が強すぎるとオスコネクタとメスコネクタが離脱できなくなったり、メスコネクタにひび割れが発生する等の難点があった。（Ｃ）固定部材６０は、その内壁面に形成した螺合部６１とメスコネクタ６５の係止部６８、螺合部６１後方内壁面とオスコネクタ５２の係止部５４の摩擦のみで固定されているので、緩みやすかった。
【０００３】
また特許文献１に、オスコネクタと固定具とメスコネクタから構成される接続具の発明が記載されている。
特許文献１は、固定具の後端の係止部を、オスコネクタの係止部（ストッパ）付近に形成された段部（溝）に回転できるように嵌合したもので、固定具を正逆回転することにより、オスコネクタ２とメスコネクタ１５を取り外しできるようにしているものである。
また特許文献２には、オスコネクタとメスコネクタを接続するときに、これらの接合部に固定部を回転して固定し、メスコネクタをオスコネクタから取りはずすとき、固定部を逆回転し、固定部が離脱しないように固定部の係止部を、オスコネクタの係止部に係止するようにしたものである。
しかしながら、特許文献１、特許文献２に記載の発明では、前記課題（Ａ）、（Ｂ）を解決することができない。
【特許文献１】実開昭６２−１１６７４０号公報（第１図、第２図）
【特許文献２】特表２００４−５２３２７６号公報（第１図〜第４図）
【発明の開示】
【発明が解決しようとする課題】
【０００４】
解決しようとする問題点は、（Ａ）締め付けが緩すぎると、衝撃で逆方向に回転して、簡単にはずれてしまうことがある。（Ｂ）逆に締め付ける力が強すぎるとオスコネクタとメスコネクタが離脱できなくなったり、ひび割れが発生する点である。
【課題を解決するための手段】
【０００５】
そこで本発明者は以上の課題を解決するために、鋭意検討を重ねた結果次の発明に到達した。
［１］本発明は、オスコネクタ（２）と固定具（１０）とメスコネクタ（１５）から構成され、
オスコネクタ（２）は、前方部にテーパー状突起部（３）、中間部に係止部（４）、後方部にチューブ接続部（７）を形成し、
前記係止部（４）とチューブ接続部（７）の間に左螺子（５）を形成し、
前記メスコネクタ（１５）は、後方部に前記オスコネクタ（２）のテーパー状突起部（３）が挿入可能なテーパー状管状体（１７）、前方部にチューブ接続部（１６）、後方部の外周に右螺子（１８）を形成し、
前記固定具（１０）は、前方内壁面に右螺子（１１）、後方内壁面に左螺子（１３）を形成した接続部材（１）を提供する。
［２］本発明は、前記固定具（１０）は、前記オスコネクタ（２）ないしオスコネクタ（２）後方部に接続されたチューブ（Ｔ）の途中に遊嵌され、
オスコネクタ（２）のテーパー状突起部（３）を、メスコネクタ（１５）のテーパー状管状体（１７）に挿入し、
固定具（１０）を左回転させて、固定具（１０）の左螺子（１３）がオスコネクタ（２）の左螺子（５）に沿って、左回転することにより、固定具（１０）が前進し、
固定具（１０）の右螺子（１１）がメスコネクタ（１５）の右螺子（１８）に引っかかった後、固定具（１０）を右回転させて、固定具（１０）の右螺子（１１）とメスコネクタ（１５）の右螺子（１８）同士の相互の螺子作用並びに固定具（１０）の左螺子（１３）とオスコネクタ（２）の左螺子（５）同士の相互の螺子作用により、固定具（１０）をメスコネクタ（１５）方向に前進させ、オスコネクタ（２）とメスコネクタ（１５）の接合部を外周から締めつけて固定することができるように形成した接続部材（１）を提供する。
［３］本発明は、［１］ないし［２］に記載の接続部材（１）を含む医療用具を提供する。
【発明の効果】
【０００６】
（１）右螺子１１と右螺子１８同士の摩擦抵抗及び左螺子１３と左螺子５同士の摩擦抵抗の二つの力が同時に働くので、固定具１０が緩みにくい。
（２）固定具１０を右回転させると、固定具１０の右螺子１１とメスコネクタ１５の右螺子１８同士の相互の螺子作用並びに固定具１０の左螺子１３とオスコネクタ２の左螺子５同士の相互の螺子作用により、固定具１０をメスコネクタ１５方向に前進させるので、固定具１０は従来の固定具と比較して、二倍の前進距離を得ることができる。このため固定具１０の締め付ける力を強くすることができる。
（３）固定具１０を左回転させるのみで、左螺子１３がオスコネクタ２の左螺子５を押すことになるので、オスコネクタ２をメスコネクタ１５から簡単にとりはずすことができる。
［従来の接続部材（図７）では、オスコネクタ５２からメスコネクタ６５を取りはずそうとすると、締め付ける力が強すぎる場合は、はずれにくく、かん子等の取り外し器具等を使わないとはずれない。］
【発明を実施するための最良の形態】
【０００７】
図１から図６は本発明の接続部材１とその使用方法の一例を示す概略図で、図１から図３はオスコネクタとメスコネクタを接続する前、図４はオスコネクタとメスコネクタを接続した状態、図５から図６はオスコネクタとメスコネクタ取り外すときの概略図である。
【０００８】
本発明の接続部材１は、オスコネクタ２と固定具１０とメスコネクタ１５から構成される。
［オスコネクタ］
オスコネクタ２は、前方部にテーパー状突起部３、中間部に係止部４、後方部にチューブ接続部７を形成している。係止部４とチューブ接続部７の間に左螺子５を形成している。
なお本発明では、「右螺子」とは、当該右螺子を形成した部品を右方向（時計と同じ方向）に回転させると前進し、左方向（時計と反対方向）に回転させると後退する螺子を意味し、「左螺子」とは、当該左螺子を形成した部品を左方向（時計と反対方向）に回転させると前進し、右方向（時計と同じ方向）に回転させると後退する螺子を意味する。なお図１から図６では、固定部１０は縦断面図を記載しているので、左螺子１３の向きが、オスコネクタ２の左螺子５の向きと逆に見えている。なお右螺子１１は、メスコネクタ１５の右螺子１８（これらの部分は断面図で記載している）と向きが一致している。
係止部４はテーパー状突起部３をメスコネクタ１５のテーパー状管状体１７に挿入後、固定具１０を左回転したときメス螺子１３が乗り越えて、固定具１０が前方に移動するのを防ぐストッパの役割を果たす。
【０００９】
［固定具１０］
固定具１０は、前方部（大径、図１に例示するように前方から中間部付近までも含む）と後方部（小径）から形成され、前方内壁面に右螺子１１と後方内壁面に左螺子１３が形成されている。
右螺子１１は、メスコネクタ１５の右螺子１８に係止される。
左螺合１３は、オスコネクタ２の左螺子５に螺合される。
固定具１０は、オスコネクタとメスコネクタの接合部を外側から覆って固定できるものであれば何でも採用することができる。例えばルアーロック（ロックナットともいう）等を使用することができる。
［メスコネクタ１５］
メスコネクタ１５は、後方部に前記オスコネクタ２のテーパー状突起部３が挿入可能なテーパー状管状体１７、前方部にチューブ接続部１６、後方部の外周に右螺子１８を形成している。右螺子１８は固定具１０の右螺子１１と係止される。
【００１０】
本願発明の接続部材１の使用方法の一例について説明する。
（１）図１から図２に例示するように、オスコネクタ２のテーパー状突起部３を、メスコネクタ１５のテーパー状管状体１７に浅く挿入する。
（２）図３に例示するように固定具１０を左回転させて、固定具１０の左螺子１３がオスコネクタ２の左螺子５に沿って、左回転することにより、固定具１０が前進する。
（３）図４に例示するように固定具１０の右螺子１１がメスコネクタ１５の右螺子１８に引っかかった後、固定具１０を右回転させると、固定具１０の右螺子１１とメスコネクタ１５の右螺子１８同士の相互の螺子作用並びに固定具１０の左螺子１３とオスコネクタ２の左螺子５同士の相互の螺子作用により、固定具１０はメスコネクタ１５方向に前進して、オスコネクタ２とメスコネクタ１５の接合部を外周から締めつけて固定する。
またこのとき固定具１０の左螺子１３がオスコネクタ２の左螺子５を押すことで、オスコネクタ２をメスコネクタ１５方向に前進しようとする力を付与し（オスコネクタ２とメスコネクタ１５はテーパー嵌合になっているので、実際には進まない）、これらの力と前記オスコネクタ２とメスコネクタ１５の接合部を外周から締めつける力の相乗作用により、オスコネクタ２とメスコネクタ１５の接合部をより強固に固定することができる。
例えばメスコネクタ１５の右螺子１８と固定具１０の左螺子１３の螺子ピッチが２．５ｍｍの場合は、オスコネクタ２は、固定具１０が一回転することにより５．０ｍｍ前進させることができる。
以上のように固定具１０を回転させると右螺子１１と右螺子１８同士の螺子作用並びに左螺子１３と左螺子５同士の螺子作用により固定具１０がメスコネクタ１５方向に前進するので、固定具１０は従来の固定具と比較して、二倍の前進距離を得ることができる。このため固定具１０の締め付ける力を強くすることができる。
（４）オスコネクタ２をメスコネクタ１５から取り外す場合は、図５から６に例示するように、固定具１０を左回転すると、固定具１０の右螺子１１とメスコネクタ１５の右螺子１８同士の相互の螺子作用により、これらの螺合がはずれ、左螺子１３はオスコネクタ２の左螺子５を押す作用が働き、オスコネクタ２はメスコネクタ１５から簡単に取り外すことができる。
【図面の簡単な説明】
【００１１】
【図１】本発明の接続部材とその使用方法の概略図（オスコネクタとメスコネクタの接続前）
【図２】本発明の接続部材とその使用方法の概略図（オスコネクタとメスコネクタの接続前）
【図３】本発明の接続部材とその使用方法の概略図（オスコネクタとメスコネクタの接続前）
【図４】本発明の接続部材とその使用方法の概略図（オスコネクタとメスコネクタの接続状態）
【図５】本発明の接続部材とその使用方法の概略図（オスコネクタとメスコネクタの取り外し開始）
【図６】本発明の接続部材とその使用方法の概略図（オスコネクタとメスコネクタの取り外した状態）
【図７】従来の接続部材とその使用方法の概略図
【符号の説明】
【００１２】
１  接続部材
２  オスコネクタ
３  （前方部）テーパー状突起部
４  （中間部）係止部
５  左螺子
７  （後方部）管状体（チューブ接続部）
１０  固定具（ルアーロック）
１１  右螺子
１３  左螺子
１５  メスコネクタ
１６  （前方部）管状体（チューブ接続部）
１７  （後方部）テーパー状管状体
１８  右螺子
Ｔ  チューブ
【図１】
2006141789.tif 000003
【図２】
2006141789.tif 000004
【図３】
2006141789.tif 000005
【図４】
2006141789.tif 000006
【図５】
2006141789.tif 000007
【図６】
2006141789.tif 000008
【図７】
2006141789.tif 000009